(57)【特許請求の範囲】
【請求項１】
軸筒内にシャープペンシル体を含む複数の筆記体を配設し、軸筒後端部に、軸心方向に沿って延びる外部に開口した摺動溝を径方向に区画してなる摺動ケースを、該摺動ケースの前方に配設した座巻き部を有する第１コイルスプリングにより軸筒後端方向に付勢して摺動自在に付設し、各筆記体の後部に連接した摺動体を、該摺動体に形成した隆起部を各摺動溝より摺動ケース外周面に突出させ、摺動溝内に配設した第２コイルスプリングにより軸筒後端方向に付勢して摺動溝に摺動自在に収納してなり、前記摺動体を軸筒先端方向にスライドすることにより、摺動体の後端部に形成した係合突起を摺動ケースに形成した止め部に係止して筆記体の突出状態を維持するとともに、シャープペンシル体が突出した際は、摺動ケースを軸筒先端方向に押圧することにより、シャープペンシル体の鉛芯繰出機構を作動させて、鉛芯を繰出し可能としたシャープペンシル体を含むスライド式の複合筆記具において、前記摺動ケースの先端に、摺動ケースと一体にかつ、軸心方向で第１コイルスプリングの座巻き部より長い突部を形成し、前記コイルスプリングの端部が、径方向で座巻き部の外側に位置するとともに、前記突部に前記第１コイルスプリングを嵌挿するように配設したことを特徴とするシャープペンシル体を含むスライド式の複合筆記具。
【発明の詳細な説明】
【０００１】
【発明の属する技術分野】
本発明は、軸筒内に、少なくとも１本のシャープペンシル体を含むスライド式の複合筆記具に関する。
【０００２】
【従来技術】
従来のシャープペンシル体を配設したスライド式の複合筆記具を図１及び図２を用いて説明すると、軸筒後端部内に付設した摺動ケース１１の摺動溝１３内に配設した第２コイルスプリング９により軸筒後端方向に付勢した一方の摺動体４を、軸筒先端開口部２ａ方向にスライドすることにより摺動体４の後端部に形成した係合突起４ｂを摺動ケース１１に形成した止め部（図示せず）に係止して、ボールペン体６の筆記先端部６ａを軸筒先端開口部２ａから突出することができ、他方の第２コイルスプリング１０により軸筒後端方向に付勢した他方の摺動体５の隆起部５ａを軸筒先端方向に前進せしめることで、他方の解除突起５ｄが、一方の被解除突起４ｃを押圧し、止め部に係止していた係合突起４ｂを解除し、さらに他方の摺動体５を前進することにより他方の係合突起５ｂが止め部に係止して突出状態を維持することのできる、筆記先端部を選択して操り出し可能な繰り出し機構を有するともに、シャープペンシル体７の突出状態を維持した状態で、摺動ケースの前方に配設した第１コイルスプリング８により軸筒後端方向に付勢した樹脂製の摺動ケース１１を軸筒先端方向に押圧することにより、シャープペンシル体７の鉛芯繰出機構（図示せず）を作動させて鉛芯を繰出し可能な構造としてある。
【０００３】
前記した従来のシャープペンシル体を含むスライド式の複合筆記具においては、摺動ケース１１を軸筒後端側へ付勢する第１コイルスプリング８は、摺動ケースの先端面が第１コイルスプリング受部となっており、単に当接しているだけであった。
【０００４】
ところで、こうしたシャープペンシル体を含むスライド式の複合筆記具において、一方の筆記体と他方の筆記体を交互に、しかもスムーズな出没作動を可能とするため、筆記体、摺動体、コイルスプリングの配設位置やコイルスプリングの設定荷重等、適宜選択している。
【０００５】
【発明が解決しようとする課題】
本発明者は、筆記体のスムーズな出没作動について検討した結果、前述した従来の構造では、第１コイルスプリングと筆記体が接触することが間々あり、この接触によって、引っ掛かり感があり、スムーズな出没作動を阻害していることが判った。これは、コイルスプリングの端部は移動し易く、組立時や使用時に端部が内側へ移動し、筆記体と接触しているためである。また、端部の移動は、内側（筆記体側）へ移動する場合は勿論のこと、図４、図５に示すように、外側へ移動した場合にも、第１コイルスプリング８の端部８ａが座巻き部Ｇの外側に位置し、座巻きＧ部を内側へ押圧することにより、座巻き部が内側へ移動することがあった。前記第１コイルスプリングの端部または座巻き部の移動によって、筆記体と接触してしまう。また、スライド式の複合筆記具においては、軸心から偏心した位置に筆記体を配設してあり、筆記体は軸筒先端開口部に向って、テーパー状に移動するので、第１コイルスプリングの後端側である摺動ケース近傍において接触し易いということも判った。
【０００６】
こうした接触を防ぐためには、コイルスプリングの径を大きくすることが考えられるが、コイルスプリングの径を大きくすると、それに比例して軸筒の径も大きくする必要があり、デザインの幅をひろげることができない。
【０００７】
本発明の目的は、コイルスプリングの径を大きくすることなく、筆記体の出没作動がスムーズな、シャープペンシル体を含むスライド式の複合筆記具を提供することである。
【０００８】
【課題を解決するための手段】
本発明は、軸筒内にシャープペンシル体を含む複数の筆記体を配設し、軸筒後端部に、軸心方向に沿って延びる外部に開口した摺動溝を径方向に区画してなる摺動ケースを、該摺動ケースの前方に配設した座巻き部を有する第１コイルスプリングにより軸筒後端方向に付勢して摺動自在に付設し、各筆記体の後部に連接した摺動体を、該摺動体に形成した隆起部を各摺動溝より摺動ケース外周面に突出させ、摺動溝内に配設した第２コイルスプリングにより軸筒後端方向に付勢して摺動溝に摺動自在に収納してなり、前記摺動体を軸筒先端方向にスライドすることにより、摺動体の後端部に形成した係合突起を摺動ケースに形成した止め部に係止して筆記体の突出状態を維持するとともに、シャープペンシル体が突出した際は、摺動ケースを軸筒先端方向に押圧することにより、シャープペンシル体の鉛芯繰出機構を作動させて、鉛芯を繰出し可能としたシャープペンシル体を含むスライド式の複合筆記具において、前記摺動ケースの先端に、摺動ケースと一体にかつ、軸心方向で第１コイルスプリングの座巻き部より長い突部を形成し、前記コイルスプリングの端部が、径方向で座巻き部の外側に位置するとともに、前記突部に前記第１コイルスプリングを嵌挿するように配設したことを特徴とする。
【０００９】
また、本発明における鉛芯繰出機構とは、シャープペンシルにおいて一般的に知られているチャック等の鉛芯を繰り出す機構のことである。
【００１０】
【発明の実施の形態】
以下、図面を参照して本発明の実施の形態を説明する。尚、図面中同じ部材、同じ部品については同じ番号を付してある。
図１から図３に示す、シャープペンシル体を含む複合筆記具１は、前軸２と後軸３を螺合させ、さらに後軸３の後端に摺動ケース１１を付設した構造である。摺動ケース１１には、径方向に区画し外部に開口した摺動溝１３を形成してある。各摺動溝１３に、ボールペン体６とシャープペンシル体７と、ボールペン体６及びシャープペンシル体７の後端に取り付けられた摺動体４，５を、第２コイルスプリングにより後方に付勢させて摺動可能に配設する。摺動体４，５の隆起部４ａ，５ａは、摺動溝１３より突出させてある。摺動ケースの先端面と後軸３に形成した段部３ａとの間に第１コイルスプリング８を配設し、摺動ケースを軸筒後端方向に付勢して配設してある。摺動ケース１１は、摺動ケース１１に形成した凸部（図示せず）を、後軸３の係合孔（図示せず）に嵌合させ、摺動可能に配設してある。後軸３の後端には頭冠１４が付設してある。
【００１１】
ボールペン体６の筆記先端６ａを軸筒先端開口部２ａから出没させるには、摺動体の一方の隆起部４ａを軸筒先端開口部２ａ方向に前進せしめることで、摺動体４の後端部の係合突起４ｂが軸筒内に形成した止め部１１ａに係止して、ボールペン体６のチップ先端部６ａを軸筒先端開口部２ａから選択して突出することができる。他方の隆起部５ａを軸筒先端２ａ方向に前進せしめることで、一方の止め部１１ａに係止していた係合突起４ｂを他方の解除突起５ｄが、一方の被解除突起４ｃを押圧して解除し、前記ボールペン体６の筆記先端６ａは軸筒２内に没入させることができる。さらに他方の隆起部５ａを前進することにより他方の係合突起５ｂが止め部１１ａに係止して、シャープペンシル体の筆記先端部７ａの突出状態を維持することができる。シャープペンシル体の筆記先端部７ａを突出した状態で、第１コイルスプリング８により軸筒後端側へ付勢した摺動ケース１１を軸筒先端開口部２ａ方向に押圧することにより、シャープペンシル体の鉛芯繰出装置（図示せず）が作動して鉛芯を繰出すことができる。
【００１２】
第１コイルスプリング８は、摺動ケースに一体に形成した突部１２に嵌挿するように配設してあるので、組立時や使用時に、端部が内側へ移動あるいは移動することがないので、筆記体の出没がスムーズである。また突部１２は、軸心方向において第１コイルスプリング８の座巻部Ｇより長くしてあるので、端部８ａが座巻き部Ｇの外側に位置し、座巻き部Ｇを内側へ押圧することがあっても筆記体６，７と接触することはないので、スムーズな出没作動が可能である。
【００１３】
本発明のシャープペンシル体を１本含むスライド式の複合筆記具は、前述したシャープペンシル体を１本とボールペン体を１本の複合筆記具に限定されるものではなく、少なくともシャープペンシル体を１本含む複数の筆記体を適宜選択して用いることができる。また、筆記体に摺動体を連接する構造も特に限定されない。
【００１４】
【発明の効果】
以上の通り、筆記体の出没作動がスムーズな、シャープペンシル体を含むスライド式の複合筆記具を提供することができた。
【図面の簡単な説明】
【図１】本発明の第１の実施の形態を示す縦断面図である。
【図２】図１におけるシャープペンシル体の筆記先端部を繰り出した状態を示す縦断面図である。
【図３】摺動ケース及び第１コイルスプリングの拡大図である。
【図４】第１コイルスプリングの外側の移動を示した拡大図である。
【図５】図４における、第１コイルスプリングの後端Ｆ方向から見た図である。
【符号の説明】
１  シャープペンシル体を含むスライド式の複合筆記具
２  軸筒
２ａ  軸筒先端開口部
３  後軸
４，５  摺動体
６  ボールペン体
７  シャープペンシル体
８  第１コイルスプリング
８ａ  端部
９，１０  第２コイルスプリング
１１  摺動ケース
１２  突部
１３  摺動溝
【図１】
0004611541.tif 000002
【図２】
0004611541.tif 000003
【図３】
0004611541.tif 000004
【図４】
0004611541.tif 000005
【図５】
0004611541.tif 000006